(57)【特許請求の範囲】
【請求項１】
搭乗手段のハンドルバー先端部に取り付けられるとともに、当該ハンドルバー先端部を挿通して取り付け可能な筒状のパイプ部材及び運転者が把持可能なグリップ部材を有した把持グリップと、
前記パイプ部材の外周面に巻き付けられ、前記グリップ部材を加温可能なヒータ線と、
前記パイプ部材の所定部位に形成され、前記パイプ部材の外周面に巻き付けられたヒータ線に接続された配線を当該パイプ部材の内側に引き込むための孔部と、
を具備し、前記パイプ部材とグリップ部材の間に前記ヒータ線が介装されて成るグリップ加温装置において、
内側に向かって所定の緊縛力を有しつつ前記孔部を塞いだ状態で前記パイプ部材に取り付けられ、前記パイプ部材の外周面に巻き付けられたヒータ線を仮止め可能な円環状の仮止め部材を備えたことを特徴とするグリップ加温装置。
【請求項２】
前記仮止め部材は、所定のゴム材から成ることを特徴とする請求項１記載のグリップ加温装置。
【請求項３】
前記仮止め部材は、前記パイプ部材に取り付けられた状態で前記孔部に挿通する凸部が形成されたことを特徴とする請求項１又は請求項２記載のグリップ加温装置。
【発明の詳細な説明】
【技術分野】
【０００１】
本発明は、二輪車やスノーモービル等の搭乗手段が具備するハンドルバー先端部に取り付けられた把持グリップにおけるグリップ部材を加温可能なグリップ加温装置に関するものである。
【背景技術】
【０００２】
二輪車やＡＴＶ、スノーモービルなどハンドルバーを具備した搭乗手段においては、そのハンドルバー先端部に運転者が把持し得る把持グリップが形成されている。かかる把持グリップには、従来より、運転者が把持する際に暖かい状態であるよう車両に搭載されたバッテリから電流を流し得るヒータ線（電熱線）を内蔵させたものが提案されるに至っている。なお、このようなグリップ加温装置は、例えば特許文献１にて開示されている。
【０００３】
一方、搭乗手段のハンドルバー先端部に取り付けられる把持グリップは、通常、当該ハンドルバー先端部を挿通して取り付け可能な筒状のパイプ部材と、該パイプ部材の外周面に形成されて運転者が把持可能なグリップ部材とから構成されている。このうちパイプ部材には、ヒータ線に接続された配線を当該パイプ部材の内側に引き込むための孔部が形成されている。
【０００４】
そして、パイプ部材の外周面にヒータ線を巻き付けるとともに、ヒータ線に接続された配線を孔部を介して内側に引き込んだ状態とする。この状態において、ヒータ線のパイプ部材に対する巻き付けが解かれてしまうのを回避すべく粘着テープ等で仮止めした後、当該パイプ部材の外周面及びヒータ線上にアウトサート成形にてグリップ部材を成形する。これにより、パイプ部材とグリップ部材との間にヒータ線が介装された把持グリップを得ることができる。
【先行技術文献】
【特許文献】
【０００５】
【特許文献１】特開平５−２５４４７６号公報
【発明の概要】
【発明が解決しようとする課題】
【０００６】
しかしながら、上記従来のグリップ加温装置においては、ヒータ線をパイプ部材の外周面に巻き付けた後、作業者による手作業で粘着テープ等にて仮止めしていたため、仮止めが必ずしも確実且つ円滑に行われるものではなく、緩んでしまったり作業時間が長くかかってしまう虞があった。すなわち、作業者の熟練度等によって粘着による仮止めの良否や作業時間が異なってしまうのである。
【０００７】
本発明は、このような事情に鑑みてなされたもので、パイプ部材の外周面に巻き付けられたヒータ線を確実且つ円滑に仮止めすることができるグリップ加温装置を提供することにある。
【課題を解決するための手段】
【０００８】
請求項１記載の発明は、搭乗手段のハンドルバー先端部に取り付けられるとともに、当該ハンドルバー先端部を挿通して取り付け可能な筒状のパイプ部材及び運転者が把持可能なグリップ部材を有した把持グリップと、前記パイプ部材の外周面に巻き付けられ、前記グリップ部材を加温可能なヒータ線と、前記パイプ部材の所定部位に形成され、前記パイプ部材の外周面に巻き付けられたヒータ線に接続された配線を当該パイプ部材の内側に引き込むための孔部とを具備し、前記パイプ部材とグリップ部材の間に前記ヒータ線が介装されて成るグリップ加温装置において、内側に向かって所定の緊縛力を有しつつ前記孔部を塞いだ状態で前記パイプ部材に取り付けられ、前記パイプ部材の外周面に巻き付けられたヒータ線を仮止め可能な円環状の仮止め部材を備えたことを特徴とする。
【０００９】
請求項２記載の発明は、請求項１記載のグリップ加温装置において、前記仮止め部材は、所定のゴム材から成ることを特徴とする。
【００１０】
請求項３記載の発明は、請求項１又は請求項２記載のグリップ加温装置において、前記仮止め部材は、前記パイプ部材に取り付けられた状態で前記孔部に挿通する凸部が形成されたことを特徴とする。
【発明の効果】
【００１２】
請求項１の発明によれば、内側に向かって所定の緊縛力を有しつつ孔部を塞いだ状態でパイプ部材に取り付けられ、パイプ部材の外周面に巻き付けられたヒータ線を仮止め可能な円環状の仮止め部材を備えたので、パイプ部材の外周面に巻き付けられたヒータ線を確実且つ円滑に仮止めすることができる。
【００１３】
請求項２の発明によれば、仮止め部材は、所定のゴム材から成るので、内側に対する緊縛力をより大きなものとすることができ、ヒータ線の仮止めをより確実且つ円滑に行わせることができる。
【００１４】
請求項３の発明によれば、仮止め部材は、パイプ部材に取り付けられた状態で孔部に挿通する凸部が形成されたので、グリップ部材の成形時に孔部から樹脂材等が内側に入り込んでしまうのをより一層確実に防止することができる。
【図面の簡単な説明】
【００１６】
【図１】本発明の実施形態に係るグリップ加温装置を示す平面図、正面図及び側面図
【図２】図１におけるＩＩ−ＩＩ線断面図
【図３】同グリップ加温装置におけるパイプ状部材を示す平面図、正面図及び側面図
【図４】図３におけるＩＶ−ＩＶ線断面図
【図５】図３におけるＶ−Ｖ線断面図
【図６】同グリップ加温装置におけるヒータ線及び配線を示す模式図
【図７】同グリップ加温装置における仮止め部材を示す模式図
【図８】図７におけるＶＩＩＩ−ＶＩＩＩ線断面図
【図９】同グリップ加温装置におけるグリップ部材を成形するための成形金型を示す模式図
【発明を実施するための形態】
【００１７】
以下、本発明の実施形態について図面を参照しながら具体的に説明する。
本実施形態に係るグリップ加温装置は、二輪車のハンドルバーの先端部に取り付けられた把持グリップを加温し得るもので、図１〜７に示すように、パイプ部材２及びグリップ部材３を有して成る把持グリップ１と、ヒータ線４と、仮止め部材５とから主に構成されている。なお、本実施形態においては、把持グリップ１は、ハンドルバーの左側先端部に取り付けらたものを示しているが、右側先端部に取り付けられて回転操作によりエンジン制御可能なスロットルグリップに適用してもよい。
【００１８】
パイプ部材２は、ハンドルバー先端部を挿通して取り付け可能な筒状の樹脂製部材から成り、図３〜５に示すように、先端側の所定部位には孔部２ａが形成されるとともに、基端側の所定部位にはフック部２ｂが一体形成されている。また、パイプ部材２の先端側には、一対のフランジ部ａ、ｂが所定寸法離間して当該パイプ部材２の外周面の周方向に亘って突出形成されており、これらフランジ部ａ、ｂの間の面が後述する仮止め部材５を取り付ける取付面２ｃとされている。
【００１９】
孔部２ａは、パイプ部材２の外周面に巻き付けられたヒータ線４に接続された配線６を当該パイプ部材２の内側に引き込むための貫通孔（図４、５参照）から成り、パイプ部材２の取付面２ｃにおける所定位置に形成されている。フック部２ｂは、パイプ部材２の外周面にヒータ線４を巻き付ける際、当該ヒータ線４を最初に引っ掛けるためのフック状に形成された部位である。
【００２０】
ヒータ線４は、パイプ部材２の外周面に対して長手方向に亘って螺旋状に巻き付けられるとともに、通電により発熱してグリップ部材３を加温可能なニクロム線等から成り、図６に示すように、接続部６ｂにおいて配線６と接続されている。配線６は、一端において接続部６ｂを介してヒータ線４に接続されるとともに、他端に端子６ａが形成されており、この端子６ａに二輪車が搭載するバッテリ等の電源から延びる別個の配線が接続されるよう構成されている。
【００２１】
そして、先ずヒータ線４をフック部２ｂに引っ掛けておき、パイプ部材２を外周面に螺旋状に巻き付けた後、孔部２ａから配線６を内側に引き込むことで、グリップ部材３をアウトサート成形する前の中間部品が完成するのである。その後、アウトサート成形する前に、後述する仮止め部材５をパイプ部材２の外周面（具体的には、取付面２ｃ）に取り付けることで、ヒータ線４及び配線６が緩んでしまうのを回避することができる。
【００２２】
グリップ部材３は、パイプ部材２の外周面に射出成形（アウトサート成形）にて形成されて運転者が把持可能な樹脂製部材から成り、図１に示すように、先端部及び基端部に径方向に膨出した鍔部が形成されている。このように、把持グリップ１は、パイプ部材２の外周面にグリップ部材３が射出成形された２層構造をなしており、当該パイプ部材２とグリップ部材３の間にヒータ線４が介装されて構成されている。
【００２３】
仮止め部材５は、内側に向かって所定の緊縛力を有しつつ孔部２ａを塞いだ状態でパイプ部材２の取付面２ｃに取り付けられ、パイプ部材２の外周面に巻き付けられたヒータ線４を仮止め可能な部材から成り、本実施形態においては、所定のゴム材から成るものとされている。具体的には、仮止め部材５は、図７、８に示すように、円環状部材から成り、内径がパイプ部材２の取付面２ｃの外径より若干小さく設定されており、当該取付面２ｃに取り付けると、内側に向かって所定の緊縛力が生じるようになっている。
【００２４】
また、仮止め部材５は、その幅がフランジ部ａ、ｂの離間寸法と略等しく（厳密には当該離間寸法より若干小さく）設定されており、取付面２ｃに仮止め部材５を取り付けた状態において、当該仮止め部材５がフランジ部ａ、ｂの間に収まるようになっている。これにより、ヒータ線４の仮止め時、仮止め部材５の位置決めを確実且つ容易に行わせることができるとともに、仮止め後において当該仮止め部材５がパイプ部材２の外周面上を移動してずれが生じてしまうのを防止することができる。
【００２５】
さらに、仮止め部材５には、図８に示すように、その内周面における所定位置に内側に向かって突出形成された凸部５ａが形成されている。この凸部５ａは、図５に示すように、仮止め部材５がパイプ部材２に取り付けられた状態で、孔部２ａに挿通し得るものとされている。すなわち、仮止め時、仮止め部材５を取付面２ｃに取り付けるとともに、凸部５ａを孔部２ａに挿通させると、図５に示すように、配線６以外の部位が凸部５ａにて埋められるよう構成されているのである。
【００２６】
上記実施形態によれば、内側に向かって所定の緊縛力を有しつつ孔部２ａを塞いだ状態でパイプ部材２に取り付けられ、パイプ部材２の外周面に巻き付けられたヒータ線４を仮止め可能な円環状の仮止め部材５を備えたので、作業者の熟練度によらず、パイプ部材２の外周面に巻き付けられたヒータ線４を確実且つ円滑に仮止めすることができるとともに、グリップ部材３の成形時にパイプ部材２に形成された孔部２ａから樹脂材等が内側に入り込んでしまうのをより確実に防止することができる。
【００２７】
また、本実施形態によれば、仮止め部材５は、比較的弾力性に富む所定のゴム材から成るので、内側に対する緊縛力をより大きなものとすることができ、ヒータ線４の仮止めをより確実且つ円滑に行わせることができる。さらに、仮止め部材５は、パイプ部材２に取り付けられた状態で孔部２ａに挿通する凸部５ａが形成されたので、グリップ部材３の成形時に孔部２ａから樹脂材等が内側に入り込んでしまうのをより一層確実に防止することができる。
【００２８】
特に、本実施形態に係るグリップ部材３は、図９に示すように、ヒータ線４が巻き付けられたパイプ部材２を金型Ｋ２内に載置し、パイプ部材２の内側に金型Ｋ１を挿通した状態で当該パイプ部材２の外周面と金型Ｋ２との間に所定の樹脂材を流し込んで射出成形（アウトサート成形）することにより得られるものとされている。そして、本実施形態に係る凸部５ａは、その突端５ａａがパイプ部材２の内側に挿通された金型Ｋ１に当接する寸法とされている。
【００２９】
このように、グリップ部材３は、ヒータ線４が巻き付けられたパイプ部材２の内側に金型Ｋ１を挿通した状態で当該パイプ部材２の外周面に射出成形されて成るとともに、凸部５ａは、その突端５ａａが金型Ｋ１に当接する寸法とされたので、グリップ部材３の成形時に凸部５ａａが金型Ｋ１に突き当てられた状態とすることができ、成形圧により当該凸部５ａがパイプ部材２の内側に押し込まれてしまうのをより確実に防止することができる。
【００３０】
以上、本実施形態に係るグリップ加温装置について説明したが、本発明はこれに限定されるものではなく、例えば内側に向かって所定の緊縛力を有しつつ孔部２ａを塞いだ状態でパイプ部材２に取り付けられ、パイプ部材２の外周面に巻き付けられたヒータ線４を仮止め可能な円環状の仮止め部材であれば、ゴム材とは異なる材料（軟質の樹脂等）を成形したものであってもよく、凸部５ａが形成されないものとしてもよい。なお、本実施形態においては、二輪車の把持グリップに適用されているが、ハンドルバーを有した他の搭乗手段（ＡＴＶやスノーモービル等）に適用するようにしてもよい。
【産業上の利用可能性】
【００３１】
内側に向かって所定の緊縛力を有しつつ孔部を塞いだ状態でパイプ部材に取り付けられ、パイプ部材の外周面に巻き付けられたヒータ線を仮止め可能な円環状の仮止め部材を具備したグリップ加温装置であれば、外観形状が異なるもの或いは他の機能が付加されたもの等に適用してもよい。
【符号の説明】
【００３２】
１  把持グリップ
２  パイプ部材
２ａ  孔部
３  グリップ部材
４  ヒータ線
５  仮止め部材
５ａ  凸部
６  配線
【図１】
0005864248.tif 000002
【図２】
0005864248.tif 000003
【図３】
0005864248.tif 000004
【図４】
0005864248.tif 000005
【図５】
0005864248.tif 000006
【図６】
0005864248.tif 000007
【図７】
0005864248.tif 000008
【図８】
0005864248.tif 000009
【図９】
0005864248.tif 000010